(57)【特許請求の範囲】
【請求項１】
建物の外壁に沿って立設される足場に設けられ、前記足場を前記建物に固定するための壁つなぎを支持する壁つなぎ支持部材であって、
上下方向に延びるパイプ状に形成され、上下方向の任意の位置に前記壁つなぎの前記足場側の一端が取り付けられる本体部と、
前記本体部の下端に設けられ、前記足場の隣接する支柱間に架け渡される第１水平材に固定されるクランプ部と、
前記本体部の上端に設けられ、前記第１水平材の上方に設けられる第２水平材に引っ掛けられるフック部と、を備えることを特徴とする壁つなぎ支持部材。
【請求項２】
前記本体部の軸心は、前記フック部が前記第２水平材に引っ掛けられ、前記クランプ部が前記第１水平材に固定された状態において、前記第１水平材の軸心及び前記第２水平材の軸心に直交することを特徴とする請求項１に記載の壁つなぎ支持部材。
【請求項３】
前記本体部は、上下方向に長さ調節可能であることを特徴とする請求項１又は２に記載の壁つなぎ支持部材。
【請求項４】
前記本体部は、上端に前記フック部が設けられ、内部にナット部が着脱自在に取り付けられる上パイプ部材と、下端に前記クランプ部が設けられ、内部に前記ナット部に対して上下方向に進退自在に螺合されるボルト部が着脱自在に取り付けられる下パイプ部材と、を有しており、前記ボルト部が軸回りに回転することにより、上下方向に長さ調節可能であることを特徴とする請求項３に記載の壁つなぎ支持部材。
【請求項５】
請求項１乃至４のいずれかに記載の壁つなぎ支持部材を設けた足場構造であって、
前記第２水平材の水平方向の任意の位置に前記フック部が引っ掛けられ、前記第１水平材に前記クランプ部が固定されることを特徴とする足場構造。
【発明の詳細な説明】
【技術分野】
【０００１】
本発明は、建物の外壁に沿って立設される足場に設けられる壁つなぎ支持部材及び足場構造に関する。
【背景技術】
【０００２】
従来から、住宅等の建物の建築改修時や解体時等には、建物の外壁に沿って足場が立設され、各種の作業が行われている。このような足場は、複数の支柱が所定の間隔を離して設けられ、隣接する支柱間に手摺や中桟といった水平材及び踏板等がそれぞれ組み付けられて構成される。
【０００３】
通常、足場では、倒壊や変形等を防止するために、足場を建物に固定するための壁つなぎが用いられる。壁つなぎは、一端に足場の支柱や水平材に固定するためのクランプが設けられており、他端には雄ネジが形成されたボルトが設けられている。このような壁つなぎは、足場を建物に固定する際に、一端側のクランプが足場の支柱や水平材に固定され、他端側のボルトが建物側に設けられるナット部材に螺着されることにより用いられる（例えば、特許文献１及び特許文献２参照）。また、壁つなぎとしては、他端側にボルトの代わりに、圧縮部材を建物の外壁面に押し当てて固定するものもある。
【先行技術文献】
【特許文献】
【０００４】
【特許文献１】特開平０７−２０７９２４号公報
【特許文献２】特開平１０−２６６５５４号公報
【発明の概要】
【発明が解決しようとする課題】
【０００５】
しかしながら、従来の足場では、壁つなぎの足場側の一端は、足場の支柱や水平材に固定される。そのため、壁つなぎ一端が取り付けられる位置は、足場の支柱や水平材が設けられている位置によって決まってしまうため、壁つなぎの一端が取り付けられる位置によっては、壁つなぎが作業者の移動や作業の邪魔になる等の虞がある。
【０００６】
本発明は、上記のような課題に鑑みてなされたものであって、壁つなぎの足場側の一端が取り付けられる位置を上下方向及び水平方向に自由に調整することができる壁つなぎ支持部材及び足場構造を提供することを目的とする。
【課題を解決するための手段】
【０００７】
上記目的を達成するために、請求項１に記載の壁つなぎ支持部材は、建物の外壁に沿って立設される足場に設けられ、前記足場を前記建物に固定するための壁つなぎを支持する壁つなぎ支持部材であって、上下方向に延びるパイプ状に形成され、上下方向の任意の位置に前記壁つなぎの前記足場側の一端が取り付けられる本体部と、前記本体部の下端に設けられ、前記足場の隣接する支柱間に架け渡される第１水平材に固定されるクランプ部と、前記本体部の上端に設けられ、前記第１水平材の上方に設けられる第２水平材に引っ掛けられるフック部と、を備えることを特徴としている。
【０００８】
請求項２に記載の壁つなぎ支持部材では、前記本体部の軸心は、前記フック部が前記第２水平材に引っ掛けられ、前記クランプ部が前記第１水平材に固定された状態において、前記第１水平材の軸心及び前記第２水平材の軸心に直交することを特徴としている。
【０００９】
請求項３に記載の壁つなぎ支持部材は、前記本体部が、上下方向に長さ調節可能であることを特徴としている。
【００１０】
請求項４に記載の壁つなぎ支持部材では、前記本体部は、上端に前記フック部が設けられ、内部にナット部が着脱自在に取り付けられる上パイプ部材と、下端に前記クランプ部が設けられ、内部に前記ナット部に対して上下方向に進退自在に螺合されるボルト部が着脱自在に取り付けられる下パイプ部材と、を有しており、前記ボルト部が軸回りに回転することにより、上下方向に長さ調節可能であることを特徴としている。
【００１１】
請求項５に記載の足場構造は、請求項１乃至４のいずれかに記載の壁つなぎ支持部材を設けた足場構造であって、前記第２水平材の水平方向の任意の位置に前記フック部が引っ掛けられ、前記第１水平材に前記クランプ部が固定されることを特徴としている。
【発明の効果】
【００１２】
請求項１に記載の壁つなぎ支持部材によれば、上下方向に延びるパイプ状に形成され、上下方向の任意の位置に壁つなぎの足場側の一端が取り付けられる本体部の下端に、足場の隣接する支柱間に架け渡される第１水平材に固定されるクランプ部が設けられ、本体部の上端に第１水平材の上方に設けられる第２水平材に引っ掛けられるフック部が設けられているので、壁つなぎの足場側の一端の取り付け位置を上下方向だけでなく、水平方向にも自由に調整することができる。また、壁つなぎ支持部材では、第１水平材の上方に設けられる第２水平材には、フック部を引っ掛けるだけで良いので、別の作業者を上階に上げておく必要がなく、フック部を第２水平材に引っ掛けた後、第１水平材にクランプを固定することにより、作業者１人で容易に施工することができる。
【００１３】
請求項２に記載の壁つなぎ支持部材によれば、本体部の軸心は、フック部が第２水平材に引っ掛けられ、クランプ部が第１水平材に固定された状態において、第１水平材の軸心及び第２水平材の軸心に直交するように構成されているので、外側に本体部が張り出すことがないため、足場を設けるスペースを大きくすることなく、足場に設けることができる。また、本体部は内側に張り出すこともないので、作業者の移動や作業の邪魔になることを防止することができる。
【００１４】
請求項３に記載の壁つなぎ支持部材によれば、本体部が、上下方向に長さ調節可能であるので、メーカーの違い等によって足場の寸法や形状が異なることにより、第１水平材から第２水平材までの距離が異なるような場合でも適切に用いることができる。
【００１５】
請求項４に記載の壁つなぎ支持部材によれば、本体部は、内部にナット部が着脱自在に取り付けられる上パイプ部材と、内部に前記ナット部に対して上下方向に進退自在に螺合されるボルト部が着脱自在に取り付けられる下パイプ部材とを有しており、ボルト部が軸回りに回転することにより、上下方向に長さ調節可能であるので、微妙な長さ調節も適切に行うことができる。
【００１６】
請求項５に記載の足場構造によれば、第２水平材の水平方向の任意の位置に、上下方向の任意の位置に壁つなぎの足場側の一端が取り付けられる本体部の上端に設けられたフック部が引っ掛けられ、第１水平材に本体部の下端に設けられたクランプ部が固定されるので、壁つなぎの足場側の一端の取り付け位置を上下方向だけでなく、水平方向にも自由に調整することができる。
【図面の簡単な説明】
【００１７】
【図１】本発明に係る足場構造の一例を示す概略正面図である。
【図２】図１におけるＡ−Ａ線断面図である。
【図３】本発明に係る壁つなぎ支持部材の一例を示す概略側面図である。
【図４】本発明に係る壁つなぎ支持部材の一例を示す概略正面図である。
【図５】本発明に係る壁つなぎ支持部材の一例を示す分解図である。
【図６】壁つなぎ支持部材に壁つなぎを取り付けた状態の一例を示す概略平面断面図である。
【図７】本発明に係る壁繋ぎ支持部材に壁つなぎを取り付けた状態の他の一例を示す概略側面断面図である。
【発明を実施するための形態】
【００１８】
以下、本発明に係る足場構造の実施形態について、図面を参照しつつ説明する。本発明に係る足場構造１は、建物９の建築改修や解体等の各種作業を行うために、建物９の外壁に沿って立設されるものであって、図１及び図２に示すように、所定の間隔を離して配置される複数の支柱２に、手摺３、中桟４、踏板５等が組み付けられて構成されている。また、足場構造１では、隣接する支柱２ａ間に架け渡される手摺（第１水平材）３ａと手摺３ａの上方（上階）に設けられる中桟（第２水平材）４ｂに、壁つなぎ７の足場側の一端のクランプ７１が取り付けられる壁つなぎ支持部材６が設けられている。
【００１９】
支柱２ａは、建物９に対して遠い側の位置に配置される外側支柱であって、図２に示すように、建物９に近い側には、内側支柱２ｂが支柱２ａと対向するように配置されている。これらの支柱２ａ、２ｂには、上下方向に沿って所定距離毎に、外周に４個ずつコマ金具２１が設けられている。このコマ金具２１が設けられる間隔である所定距離は、例えば、４５０ｍｍや４７５ｍｍに設定される。このコマ金具２１は、詳しくは図示しないが、平面視略コ字型の形状に形成されており、その両側片の先端が支柱２ａ、２ｂの外周面に溶接によって固定され、内側には上下方向に貫通する貫通孔が設けられている。
【００２０】
隣接する支柱２ａ間に配置される手摺３や中桟４等の水平材には、それぞれ両端に楔片３１及び４１が設けられている。そして、この楔片３１及び４１が支柱２ａの対応するコマ金具２１の貫通孔に打ち込まれることにより、手摺３及び中桟４は、隣接する支柱２ａ間に水平に架け渡された状態でそれぞれ組み付けられる。
【００２１】
踏板５は、詳しくは図示しないが、例えば、矩形状の枠材と、この枠材によって支持される多数の網目を有するメッシュ部材により構成される床面材とを備えている。また、踏板５の両端には、それぞれフック５１が設けられており、外側支柱２ａのコマ金具２１と内側支柱２ｂのコマ金具２１に架け渡されて支持されているブラケット８にフック５１が係合されることにより、踏板５が水平に組み付けられている。また、踏板５の幅寸法は、外側支柱２ａと内側支柱２ｂの間に収まるように、外側支柱２ａから内側支柱２ｂまでの距離よりも短く設計されている。
【００２２】
本実施形態に係る足場構造１では、踏板５ａの所定距離（支柱２のコマ金具２１が設けられる間隔）だけ上方の位置に中桟４ａが水平に架け渡されており、更に中桟４ａの所定距離だけ上方の位置に手摺３ａが水平に架け渡されている。また、手摺３ａの所定距離の２倍（例えば、９００ｍｍ又は９５０ｍｍ）だけ上方には、上階部分の踏板５ｂが水平に架け渡されている。また、踏板５ｂの上方には、下階と同様に所定距離だけ上方の位置に中桟４ｂが水平に架け渡されており、更に中桟４ｂの所定距離だけ上方の位置に手摺３ｂが水平に架け渡されている。そして、手摺３ａと手摺３ａの１つ上階側に設けられる中桟４ｂには、壁つなぎ支持部材６が取り付けられている。
【００２３】
壁つなぎ支持部材６は、足場を建物９に固定するための壁つなぎ７の一端のクランプ７１を取り付けるためのものであって、図１〜図５に示すように、上下方向に延びるパイプ状に形成された本体部６１と、本体部６１の下端に設けられるクランプ部６２と、本体部６１の上端に設けられるフック部６３とを備えている。
【００２４】
本体部６１は、それぞれパイプ状に形成されている上パイプ部材６４と下パイプ部材６５により構成されている。上パイプ部材６４は、上端にフック部６３が溶接によって固定されており、内部にはナット部６６が着脱自在に取り付けられている。この上パイプ部材６４の外径は、壁つなぎ７の一端が取り付けられるように、支柱２の外径と略同径に形成されている。
【００２５】
ナット部６６は、図３〜図５に示すように、上パイプ部材６４の内部に挿入できるように、外径が上パイプ部材６４の内径よりも小さい円筒状に形成された円筒部６６ａと、内周に雌ネジが形成され、円筒部６６ａの下端に溶接によって固定されたナット６６ｂとを備えている。円筒部６６ａの上端側には、図５に示すように、ボルト１０を挿通させることができるボルト孔６６ｃが形成されている。また、上パイプ部材６４にも円筒部６６ａのボルト孔６６ｃに対応するように、ボルト１０を挿通させることができるボルト孔６４ａが形成されており、円筒部６６ａを上パイプ部材６４の内部に挿入し、ボルト孔６６ｃとボルト孔６４ａの位置を合わせた状態で、ボルト１０をボルト孔６６ｃ及びボルト孔６４ａに挿通し、ボルト１０の先端側をナット１１により締結することにより、上パイプ部材６４の内部にナット部６６を着脱自在に取り付けることができる。
【００２６】
下パイプ部材６５は、下端にクランプ部６２が溶接によって固定されており、内部にはボルト部６７が着脱自在に取り付けられている。この下パイプ部材６５の内径は、上パイプ部材６４の下端側を内部に挿入することができるように、上パイプ部材６４の外径よりも若干大きく形成されている。
【００２７】
ボルト部６７は、図３〜図５に示すように、外周に雄ネジが形成され、ナット６６ｂに対して上下方向に進退自在に螺着されるねじ軸６７ａと、ねじ軸６７ａの下端に設けられる頭部６７ｂとを備えている。頭部６７ｂには、図５に示すように、ボルト１０を挿通させることができるボルト孔６７ｃが形成されている。また、下パイプ部材６５にも頭部６７ａのボルト孔６７ｃに対応するように、ボルト１０を挿通させることができるボルト孔６５ａが形成されており、ボルト部６７を下パイプ部材６５の内部に挿入し、頭部６７ｂのボルト孔６７ｃとボルト孔６５ａの位置を合わせた状態で、ボルト１０をボルト孔６７ｃ及びボルト孔６５ａに挿通し、ボルト１０の先端側をナット１１により締結することにより、下パイプ部材６５の内部にボルト部６７を着脱自在に取り付けることができる。
【００２８】
また、ボルト部６７には、ねじ軸６７ａとナット６６ｂが螺着された状態から解除されないように、抜け止め防止具６７ｄがねじ軸６７ａの外周に固定されている。このように抜け止め防止具６７ｄをねじ軸６７ａの外周に固定する場合には、例えば、予めねじ軸６７をナット６６ｂに螺着させておき、ねじ軸６７ａとナット６６ｂの螺着状態が解除されないように、抜け止め防止具６７ｄをねじ軸６７ａに溶接よって固定する。その後、ナット６６ｂと円筒部６６ａの下端を溶接によって固定する。
【００２９】
このように構成されるナット部６６とボルト部６７を螺着させた状態で、それぞれ上パイプ部材６４と下パイプ部材６５に取り付けることにより、上パイプ部材６４と下パイプ部材６５がナット部６６及びボルト部６７を介して連結される。従って、本体部６１は、下パイプ部材６５を回転させることで、下パイプ部材６５に取り付けられているボルト部６７が軸回りに回転することにより、上下方向に長さ調節を行うことができる。
【００３０】
フック部６３は、上パイプ部材６４の上端に溶接によって固定されており、中桟４ｂ等の水平材に引っ掛けることができるように、略逆Ｕ字状に形成されている。このフック部６３は、図３〜図５に示すように、下端側が上パイプ部材６４の上端側の外周面に溶接される連結部６３ａと、連結部６３ａに直交するように、連結部６３ａの上端に基端側が溶接される天板部６３ｂと、天板部６３ｂの先端側に上端が溶接される後片部６３ｃとを備えている。連結部６３ａ、天板部６３ｂ、及び後片部６３ｃは、それぞれ強度を向上させるために、幅方向の両側にリブ片が形成された略コ字型の形状に形成されている。また、連結部６３ａから後片部６３ｃまでの距離の中心位置は、上パイプ部材６４及び下パイプ部材６５の軸心Ｏのほぼ延長線上に位置するように設計されている。従って、図２に示すように、フック部６３が中桟４ｂに引っ掛けられた状態において、上パイプ部材６４及び下パイプ部材６５の軸心Ｏと中桟４ｂの軸心が直交するようになっている。
【００３１】
クランプ部６２は、手摺３ａ等の水平材に固定されるものであって、下パイプ部材６５の下端に溶接によって固定されている。クランプ部６２は、図３〜図５に示すように、下パイプ部材６５の下端に溶接されるクランプ本体部６２ａと、クランプ本体部６２ａに基端側がそれぞれ支持軸６２ｂ、６２ｃを介して回動可能に軸支される一対のクランプ爪６２ｄ、６２ｅと、クランプ爪６２ｄの先端側に回動可能に軸支される調節ボルト６２ｆとを備えている。クランプ爪６２ｅの先端側には、詳しくは図示しないが、調節ボルト６２ｆを挿入させることができる切欠部が形成されており、この切欠部に調節ボルト６２ｆを挿入すると共に、ナットを調節ボルト６２ｆに螺着させて回転させていくことで、一対のクランプ爪６２ｄ、６２ｅの間隔を調節し、手摺３ａ等の水平材を把持した状態で固定することができる。
【００３２】
このように中桟４ｂにフック部６３を引っ掛け、手摺３ａにクランプ部６２を固定した壁つなぎ支持部材６の本体部６１には、図２及び図６に示すような従来公知の壁つなぎ７が取り付けられ、足場と建物９が固定されるようになっている。この壁つなぎ７は、伸縮可能な構造になっており、一端に本体部６１に固定するためのクランプ７１が設けられ、他端側の先端には、建物９側に設けられるナット部材１２に螺着される雄ネジが形成されたボルト部７２が設けられている。尚、壁つなぎ支持部材６の本体部６１に一端が取り付けられる壁つなぎ７は、このように先端にボルト部７２が設けられているものに限定されるものではなく、図７に示すように、ボルトの代わりに、圧縮部材７２を建物９の外壁面に押し当てて固定する壁つなぎ７ａであっても良い。
【００３３】
以下、本発明の壁つなぎ支持部材６の取り付け方法の一例について図面を参照しつつ説明する。まず、作業者は、踏板５ａに立った状態で、図１及び図２に示すように、壁つなぎ支持部材６のフック部６３を上階の中桟４ｂの水平方向の所定の位置に引っ掛ける。この際、フック部６３は、連結部６３ａが足場構造１の外側に位置するように引っ掛けられる。これにより、壁つなぎ支持部材６が中桟４ｂを中心に図２中の時計回りに回転したような場合でも、連結部６３ａは上パイプ部材６４と繋がっているので、フック部６３が中桟４ｂから容易に外れることがない。また、図２中の反時計回りに回転したような場合は、上階の踏板５ｂに当接するため、所定角度以上は回転することを防止できるので、壁つなぎ支持部材６が中桟４ｂを中心に回転することによって、フック部６３が中桟４ｂから外れることを防止することができる。
【００３４】
次に、作業者は、下パイプ部材６５を軸回りに回転させることにより、クランプ部６２が手摺３ａの位置に来るように長さを調節する。この際、クランプ６２のクランプ本体部６２ａに回動可能に軸支される一対のクランプ爪６２ｄ、６２ｅは、それぞれ外側へ開放させた状態にしておく。
【００３５】
そして、クランプ部６２が手摺３ａの位置に来たら、作業者は、クランプ爪６２ｅの切欠部に、クランプ爪６２ｄに回動可能に軸支されている調節ボルト６２ｆを挿入すると共に、ナットを調節ボルト６２ｆに螺着させて回転させていくことで、一対のクランプ爪６２ｄ、６２ｅの間隔を調節し、手摺３ａに固定する。この際、壁つなぎ支持部材６は、本体部６１の軸心が、図２に示すように、手摺３ａの軸心及び中桟４ｂの軸心に直交するように取り付けられるので、足場の外側に本体部６１が張り出すことがなく、足場を設けるスペースを大きくする必要がない。また、本体部６１は足場の内側に張り出すこともないので、作業者の移動や作業の邪魔になることもない。
【００３６】
その後、作業者は、足場と建物９を固定するために、壁つなぎ支持部材６の本体部６１の上下方向の所定の位置に、壁つなぎの一端のクランプ７１を固定し、他端側のボルト部６２を建物９に固定する。この際、例えば、図１に示すように、上階の踏板５ｂの少し下方に位置する高さに壁つなぎ７が位置するように、壁つなぎ７の一端を壁つなぎ支持部材６の本体部６１に固定すれば、作業者の移動や作業の邪魔になることを防止することができる。
【００３７】
以上のように、壁つなぎ支持部材６を設けた足場構造１では、壁つなぎ７の足場側の一端の取り付け位置を上下方向及び水平方向に自由に調整することができる。また、壁つなぎ支持部材６は、上階側の中桟４ｂにフック部６３を引っ掛けるだけで良いので、別の作業者を上階に上げておく必要がなく、フック部６３を中桟４ｂに引っ掛けた後、手摺３ａにクランプ６２を固定することにより、作業者１人で容易に取り付け作業を行うことができる。尚、壁つなぎ支持部材６が取り付けられる位置は、本実施形態に限定されるものではなく、他の水平材に取り付けることも可能である。
【００３８】
また、本発明の実施の形態は上述の形態に限ることなく、本発明の思想の範囲を逸脱しない範囲で適宜変更することができる。
【符号の説明】
【００３９】
１        足場構造
２        支柱
３ａ      手摺（第１水平材）
４ｂ      中桟（第２水平材）
６        壁つなぎ支持部材
６１      本体部
６２      クランプ部
６３      フック部
６４      上パイプ部材
６５      下パイプ部材
６６      ナット部
６７      ボルト部
７        壁つなぎ
９        建物
【図１】
0006292449.tif 000002
【図２】
0006292449.tif 000003
【図３】
0006292449.tif 000004
【図４】
0006292449.tif 000005
【図５】
0006292449.tif 000006
【図６】
0006292449.tif 000007
【図７】
0006292449.tif 000008